(57)【特許請求の範囲】
【請求項１】
複数のロッド電極を備え多重極電界を形成するリニアイオントラップと、
該リニアイオントラップの軸方向に磁場を形成する手段と、
該リニアイオントラップの軸方向に静電調和ポテンシャルを生成するための手段と、
該リニアイオントラップの中心軸上に電子導入を行うための電子源を有し、
該静電調和ポテンシャルの内部でイオンを軸方向に振動させることにより、特定イオンの選択又はイオンを解離することを特徴とする質量分析装置。
【請求項２】
前記静電調和ポテンシャルを生成する手段は、前記ロッド電極間に備えられた羽根電極であることを特徴とする請求項１に記載の質量分析装置。
【請求項３】
前記羽根電極へ電圧を印加する手段を有し、前記羽電極への電圧を印加することにより軸方向の静電ポテンシャルを形成することを特徴とする請求項２に記載の質量分析装置。
【請求項４】
前記リニアイオントラップの軸方向に補助交流電界を印加する手段を有し、特定質量数範囲のイオンをトラップ外部へと共鳴排出することを特徴とする請求項１に記載の質量分析装置。
【請求項５】
前記羽根電極間に交流電圧を印加する手段を有し、上記軸方向の補助交流電界を印加すること特徴とする請求項４に記載の質量分析装置。
【請求項６】
前記リニアイオントラップの軸方向に補助交流電圧を印加する手段と前記リニアイオントラップにガスを供給する手段とを有し、特定質量数範囲のイオンの運動エネルギーを活性化し、ガスとの衝突により解離することを特徴とする請求項１に記載の質量分析装置。
【請求項７】
前記羽根電極間に交流電圧を印加する手段を有し、上記軸方向の補助交流電界を印加すること特徴とする請求項６に記載の質量分析装置。
【請求項８】
複数のロッド電極を備え多重極電界を形成するリニアイオントラップと、
該リニアイオントラップの軸方向に磁場を形成する手段と、
該リニアイオントラップ軸方向に静電調和ポテンシャルを生成するための手段と、
該リニアイオントラップの中心軸上に電子導入を行うための電子源を有し、
該静電調和ポテンシャルの内部でイオンを軸方向に振動させることにより、特定イオンの選択又はイオンを解離することを特徴とする反応装置。
【請求項９】
試料をイオン化するイオン源と、
前記イオン源の後段に配置され、複数のロッド電極を備え多重極電界を形成するリニアイオントラップと該リニアイオントラップの軸方向に磁場を形成する手段と該リニアイオントラップ軸方向に静電調和ポテンシャルを生成するための手段と該リニアイオントラップの中心軸上に電子導入を行うための電子源を有し、該静電調和ポテンシャルの内部でイオンを軸方向に振動させることにより特定イオンを選択又はイオンを解離する反応装置と、
前記反応装置においてイオンを解離させることで生じたフラグメントイオンを検出する質量分析部と、を有することを特徴とする質量分析システム。
【請求項１０】
前記リニアイオントラップの軸方向に補助交流電圧を印加する手段と前記リニアイオントラップにガスを供給する手段とを有し、特定質量数範囲のイオンの運動エネルギーを活性化し、ガスとの衝突により解離することを特徴とする請求項９に記載の質量分析システム。
【発明の詳細な説明】
【技術分野】
【０００１】
本発明は、反応装置及び質量分析計に関する。
【背景技術】
【０００２】
プロテオーム解析、特に翻訳後修飾ペプチド解析などにおいては、電子捕獲解離（Electron Capture Dissociation、ECD）は重要である。以後、従来ECDおよびECDと他の反応がどのような装置構成で行われていたかを説明する。
【０００３】
非特許文献１に数Tesla以上の強磁場中へ1eV以下の低エネルギーイオンを入射することによりECDが行えることが記述されている。１Tesla以上という強い磁場中では、周囲の静電場を適度に調整することによりイオンと電子を効率的にトラップすることができるため、ECD反応を進行することが可能である。
【０００４】
非特許文献２は非特許文献１と同様に１Tesla以上の強磁場中へ1eV以下の低エネルギーイオンを入射することによりECDを行っている。この後、特定のイオン以外のみを選択し、また選択された特定質量のイオンに対し、レーザー光を照射して多光子解離を行っている。また本実施例には示されていないが、ガスをパルス的に導入して衝突解離を行うことも原理的に可能である。
【０００５】
特許文献1には、RFリニアトラップ中に、その軸方向に数100mTesla以下の弱い磁場を重畳する。イオンは、径方向はRFが創る電場ポテンシャル、軸方向は端電極が創る静電場ポテンシャルによりトラップされる。また、電子はリニアトラップ軸上に印加した磁場によりRF電場によるエネルギー付与が抑制されることが記載されている。
【０００６】
非特許文献３には、特許文献１に記載されているRFリニアトラップにおいてECD、イオン選択、CID方法を行うことについての原理検討が示されている。イオン選択、CIDは通常のリニアトラップ同様、径方向のRF電場における共鳴条件、および境界条件を前提としている。
【０００７】
特許文献2には、RFリニアトラップ中に、軸方向に静電的な調和ポテンシャルを形成して、特定質量のイオンを順次、トラップ外へと共鳴排出する方法が記載されている。
【０００８】
【非特許文献１】Anal. Chem. 1999, 71, 4431-4436
【０００９】
【非特許文献２】Anal. Chem. 2003, 75(13),3256-3262
【非特許文献３】Proceedings of 53rd ASMS Conference and Allied Topics, WP08-135, 2005, San Antonio, Texas.
【特許文献１】特開2005-235412
【特許文献２】米国特許第5,783,824号
【発明の開示】
【発明が解決しようとする課題】
【００１０】
非特許文献１及び非特許文献２ではイオンの効率的なトラップのため、1Tesla以上（望ましくは2Tesla以上）の磁場を必要とする。このため、超伝導磁石を用いる必要があり、装置の大型化や維持費の増大が避けられない問題がある。
【００１１】
特許文献１では、ECD反応前後のイオンの選択方法およびイオンの衝突解離方法については記載されていない。
【００１２】
非特許文献３では、イオン選択、CID手法は径方向の共鳴および境界条件を用いており、軸方向の磁場印加により安定条件がスプリットするため正確なイオン選択およびCIDが行えないことが記載されている。
【００１３】
特許文献２では、イオントラップにおけるイオン選択方法、イオンの衝突解離（CID）について記載されていない。
本発明の課題は、RFリニアトラップを用いてイオン選択、ECD、CIDをシーケンシャルに精度良く行うことである。
【課題を解決するための手段】
【００１４】
本発明に係る反応装置及び質量分析装置は、複数のロッド電極を備え多重極電界を形成するイオントラップと、該イオントラップの軸方向に磁場を形成する手段と、該イオントラップ軸方向に静電調和ポテンシャルを生成するための手段と、該イオントラップの中心軸上に電子導入を行うための電子源を有することを特徴とする。
【発明の効果】
【００１５】
本発明の構成により、高精度なイオン選択、ＥＣＤ、ＣＩＤを効率的に行うことができる。
【発明を実施するための最良の形態】
【００１６】
（実施例１）
図１は、本方式を適用したECD/CID反応を可能としたイオントラップ部（以下ECD/CIDトラップ）の構成図（断面図）である。なお、ECD/CIDトラップの典型的な測定シーケンスを図2に示す。各種イオン源より、イオンガイド、イオントラップおよびQマスフィルター等を経た後イオンは矢印101の方向にECD/CIDトラップへと導入される。プレフィラメント電極10、フィラメント11、インキャップ電極12を通過したイオンは、インキャップ電極12、ロッド電極14、エンドキャップ電極15、前後の羽根電極13で囲まれた領域にイオン導入される。フィラメント11およびイオンの溜め込まれる領域には10ｍTeslaから0.3Tesla程度の磁場が磁石20により印加されている。磁石20としては、フェライトやネオジウムのような永久磁石の他、電磁石を用いても良い。フィラメント11としてはタングステンなどの素材を用いる。太いものを使用するとイオン通過時にロスを生じるため0.03〜0.3 mmφ程度のワイヤを用いると良い。なお、電子源としてはフィラメントの他、電子を発生させるものであればよい。各ロッド電極14には一つおきに逆相のトラップRF電圧（周波数200〜2MHz（典型的には0.5MHz）、振幅50V〜500 V）が印加される。また、トラップ内部にはガス導入配管42により、ヘリウム等の不活性ガスが導入される。ヘリウムであれば0.03〜3Pa、アルゴン、窒素であれば、0.01〜1Pa程度がフラグメントイオンの効率とイオン選択の分解能が両立するため好適な圧力である。イオン導入後、ECDのため電子が導入される。電子のエネルギーはフィラメント11のDC電位とロッド電極14のオフセット電位、前後の羽根電極13の電位差で0〜数eV以内となるように調整する。低エネルギーの電子はトラップされたイオンと反応しフラグメントイオンを生成する。また、電子のエネルギーを調整して数eV以上の高エネルギーのイオンを照射することも可能である。この場合には正イオンに対してはHotECDなどの反応が、負イオンに対してはElectron detachment Dissociation(EDD)などの反応が進行し、フラグメントイオンを生成する。
【００１７】
羽根電極13には後に述べる各測定シーケンスに応じて、ロッド電極14のオフセット電位に対し5〜200V程度の静電圧31を印加する。これにより、中心軸上（ｚ軸上）に図中Oを極小点とした静電調和ポテンシャルを形成することが可能である。この軸上に形成された調和ポテンシャルの大きさをD0、調和ポテンシャルの極小部から端部までの距離をaとすれば、調和ポテンシャルの極小部からの距離ｚにおける軸方向のポテンシャルは（数１）で近似される。
0004709024.tif 000002
（数１）
また、前後の羽根電極13aと13bの間には補助的交流電源で生成された交流電圧が印加される。この電圧の典型的な電圧振幅は0.5〜20V、周波数は１〜100kHz程度の単一周波数またはそれらを重畳した電圧が印加される。これら周波数の選択について下記説明する。ｚ方向の運動方程式は（数２）で表記される。
0004709024.tif 000003
（数２）
ｍはイオンの分子量、eは電子素量。上記より、ｚ方向の共鳴周波数fは（数３）で表記される。
0004709024.tif 000004
（数３）
例えばD = 40 V, a = 25 mmのとき、fは（数４）で表記される。
0004709024.tif 000005
Hz                                                                      （数４）
Mは質量電荷比。質量電荷比の平方根に反比例して減少する。補助交流電圧30を前後の羽根電極間（13a,13b間）に印加により、共鳴する質量電荷比のイオンは軸方向に振動させることが可能である。また、共鳴振動によりイオンはz方向に加速される。イオンの速度ベクトルを
0004709024.tif 000006
とすると、磁場
0004709024.tif 000007
中では、イオンは力
0004709024.tif 000008
を受ける。
0004709024.tif 000009
（数5）
（数5）から、振動方向と磁場方向とが一致することにより、共鳴周波数は磁場の影響を受けないことが分かる。よって、磁場の影響なく（数3）により、特定のポテンシャルDにおいて、質量数と周波数は一義的に対応付けできる。
【００１８】
特定のイオンを選択する方法として図２に示した補助交流電圧の周波数をスキャンして特定周波数のタイミングのみ振幅を下げてイオンを残す方法や、トラップに残留したいイオンの質量数に対応する特定周波数のみを差し引いた重畳波を合成して補助交流電圧として前後の羽根電極間に印加する方法などがある。いずれの方法でも、イオンは軸方向に振動するため（数5）に明らかなようにイオンは磁場の影響を受けずにイオン選択を行うことができる。補助交流電圧の周波数をスキャンする方法ではトラップ内でのイオン解離を避けるために、ポテンシャルDは30V以下に設定したほうが良い。
【００１９】
次に衝突解離（CID）を行う。このときには、効率的な解離を進行させるためポテンシャルDは20V以上に設定したほうが良い。CID対象イオンに対応する周波数の補助交流電圧を前後の羽根電極間に印加する。CIDにおいても（数5）に示すように、補助交流周波数と質量とは磁場の影響なく一義的な関係になる。これにより、イオンはトラップ内のガスと衝突解離し、フラグメントイオンを生成する。なお、上記ではECD、選択、CIDの場合にのみ記述するが、これらの順番を様々に組み合わせることによりこれ以外の反応も行うことができる。なお、ロッド電極は本実施例では4本であるが6本、8本、10本、12本などであってもよい。ロッド本数が多いほど、トラップの軸付近でのRF電場勾配が小さくなるため電子の入射効率が高くなるメリットがある。ロッド電極の本数が6本以上の場合は非特許文献３の方法では質量選択やCIDは全く不可能であり、本方式でのみイオン選択、CIDが可能となる。
【００２０】
その後、イオンをエンドキャップ電極15、イオンストップ電極16を通過して矢印102方向へ排出する。排出されたイオンは、その後イオントラップ、TOF、FTICRMSなどの質量分析部で検出される。
（実施例２）
質量分析部としてTOFを用いた場合の実施例を図３に示す。エレクトロスプレーイオン源やマトリックス支援レーザーイオン源等のイオン源１により生成したイオンは細孔２を通り、第１差動排気室３へ導入される。第１差動排気室3はポンプにより排気され、100〜1000Pa程度の圧力である。第１差動排気室3に導入されたイオンは細孔４を通り、第２差動排気室５に導入される。第２差動排気室５はポンプにより排気され、0.1〜3Pa程度の圧力である。また、第２差動排気部5には複数のロッド電極にRF電圧を印加するイオンガイド6が設置されるのが一般的で、このイオンガイドによりイオンは収束され、細孔7を効率的に通過することができる。イオンガイドとしては本実施例で図示した複数のロッド電極のほかに円筒電極を連ねた電極などを用いても良い。細孔７を通過したイオンはトラップ室8に設置されたプレトラップ9に導入される。プレトラップ9は、後部のECD/CIDトラップが動作中イオンをトラップしたり、また、補助交流電圧を一対のロッド電極間に印加したりすることにより特定のイオンのみを選択的にトラップすることも可能である。トラップ室はポンプにより排気され、10-3〜10-4Pa程度である。プレトラップ9で選択的にトラップされたイオンは実施例1で説明したのと同様のECD/CIDトラップへと導入される。ECD/CIDトラップで実施例１と同様な操作が行われた後、イオンを排出する。ECD/CIDトラップから排出したイオンは、複数のロッド電極にRF電圧を印加するイオンガイド30によりイオン収束が行われる。効率的なイオン収束のために、イオンガイド部分にはガス導入配管42によりガスが供給され、0.1〜1Pa程度に維持される。細孔31を通過したイオンはTOF室35に導入される。TOF室はポンプにより排気され、10-4Pa以下に維持される。加速電極32により直交方向に加速されたイオンはリフレクトロン33により曲げられ、MCPなどからなる検出器34で検出される。飛行時間から質量数が、信号強度からイオン強度が決定でき、質量スペクトルが得られる。実施例２において得られる質量スペクトルを示す。図４はニューロテンシン３価（pELYENKPRRPYIL, (M+3H)3+, m/z=558.3）をECD/CIDトラップによりECDした直後にTOF部でイオン検出したときに得られる質量スペクトルである。ECDによるフラグメントイオンが検出される。なお、ECDによる解離部位を右上に示してある。本方式を用いることにより、効率的なECDが行えることがわかる。次に、ECD後のイオンに対し、ニューロテンシン２価（ (M+3H)2+, m/z=837.5）を選択した後にTOF部でイオン検出をしたときに得られる質量スペクトルを図５に示す。なお、イオン選択の補助交流電圧の条件は磁場の影響を受けることなく一義的に設定できるため、調整が容易である。図５に示すように、軸方向の静電場を用いることにより、トラップ外へ他のイオンが排除されてニューロテンシン２価が選択されていることが分かる。次に、選択されたイオンをトラップ内でCIDした後にTOF部でイオン検出をしたときに得られる質量スペクトルを図６に示す。なお、ＣＩＤによる解離部位を右上に示してある。CIDの補助交流電圧の条件は磁場の影響を受けることなく一義的に設定できるため、調整が容易である。図6に示すようにニューロテンシン２価イオンからCIDにより生成した、フラグメントイオンの検出が可能である。以上のように本発明のECD/CIDトラップは、磁場の影響なく精度の良いECD/CIDが可能であることを示した。一方、径方向の擬ポテンシャルを用いた従来方式では、イオン選択およびＣＩＤの際、磁場の影響のため、本実施例の条件下では5〜20Ｔｈの質量ずれの影響を受けると推定されため、上述したような正確なイオン選択、ＣＩＤは不可能である。
（実施例３）
ECD/CIDトラップにおいて質量分離、および検出する場合の実施例を図７に示す。イオン源1からECD/CIDトラップにおける操作については、実施例２と同様であるので省略する。ECD/CIDトラップで反応後、補助交流周波数をスキャンして、質量数の異なるイオンを順次排出することが可能である。排出されたイオンはコンバージョンダイノード40により偏向された後、電子増倍管などの検出器41で検出される。補助交流電圧の周波数と排出質量数との間には（数3）で示す関係があるため、質量数が算出でき質量スペクトルに変換することができる。実施例３の構成では、実施例２の構成に比べ、質量分解能が劣る反面、装置コストを大幅に低減できるメリットがある。また、軸方向の静電ポテンシャルが変動する場合、また、静電ポテンシャルと補助交流周波数が同時に変動することにより、広い質量範囲で良好な質量分解能を得ることが可能となる。
本発明の構成により、高精度なイオン選択、ECD、CIDを効率的に行うイオントラップを提供することできる。
【図面の簡単な説明】
【００２１】
【図１】本方式の実施例１。
【図２】本方式の実施例１の測定シーケンス。
【図３】本方式の実施例２。
【図４】本方式の効果の説明図。
【図５】本方式の効果の説明図。
【図６】本方式の効果の説明図。
【図７】本方式の実施例３。
【符号の説明】
【００２２】
１…イオン源、２…細孔、３…第１差動排気部、４…細孔、５…第２差動排気部、６…イオンガイド、７…細孔、８…トラップ室、９…プレトラップ、１０…プレフィラメント電極、１１…フィラメント（電子源）、１２…インキャップ電極、１３…羽根電極、１４…ロッド電極、１５…エンドキャップ電極、１６…イオンストップ電極、２０…磁石、３０…イオンガイド、３１…細孔、３２…加速部電極、３３…リフレクトロン電極、３４…検出器、３５…TOF室、４０…コンバージョンダイノード、４１…検出器、４２…ガス導入配管、１０１…イオン導入方向、１０２…イオン排出方向。
【図１】
0004709024.tif 000010
【図２】
0004709024.tif 000011
【図３】
0004709024.tif 000012
【図４】
0004709024.tif 000013
【図５】
0004709024.tif 000014
【図６】
0004709024.tif 000015
【図７】
0004709024.tif 000016